(57)【要約】      （修正有）【課題】芳香液中の香料成分等の吸着量が少なく、優れた消臭機能と芳香機能を兼ね備えた消臭芳香器を提供すること。【解決手段】容器内に収容された芳香液を、吸上芯で吸上げ、吸上げた芳香液を該吸上芯と接触して設けられた揮散体から該容器外に揮散させる消臭芳香器において、該揮散体に亜鉛化合物を担持させたことを特徴とする消臭芳香器。【選択図】図２
2008136558.tif 000002
【特許請求の範囲】
【請求項１】
容器内に収容された芳香液を、吸上芯で吸上げ、吸上げた芳香液を該吸上芯と接触して設けられた揮散体から該容器外に揮散させる消臭芳香器において、該揮散体に亜鉛化合物を担持させたことを特徴とする消臭芳香器。
【請求項２】
亜鉛化合物が、水に対して不溶性または難溶性の亜鉛化合物である請求項１記載の消臭芳香器。
【請求項３】
亜鉛化合物が、酸化亜鉛、酸化アルミニウム亜鉛、ケイ酸亜鉛、ケイ酸アルミニウム亜鉛及び層状アルミノケイ酸亜鉛からなる群から選ばれたいずれか１種以上の亜鉛化合物である請求項１または２記載の消臭芳香器。
【請求項４】
亜鉛化合物が、固体消臭剤として作用するものである請求項１ないし３の何れかの項記載の消臭芳香器。
【請求項５】
繊維成型品に亜鉛化合物を担持させてなる芳香液用揮散体。
【請求項６】
亜鉛化合物が、酸化亜鉛、酸化アルミニウム亜鉛、ケイ酸亜鉛、ケイ酸アルミニウム亜鉛及び層状アルミノケイ酸亜鉛からなる群から選ばれたいずれか１種以上の亜鉛化合物である請求項５記載の芳香液用揮散体。
【請求項７】
繊維、熱融着バインダーおよび亜鉛化合物を基体上に積層したのち被覆体で覆い、次いでこの積層物を熱圧着することを特徴とする芳香液用揮散体の製造方法。
【請求項８】
繊維と熱融着バインダーを基体上に積層した後、亜鉛化合物を必要により熱融着バインダーとともに積層させたのち被覆体で覆い、次いでこの積層物を熱圧着することを特徴とする芳香液用揮散体の製造方法。
【請求項９】
芳香液の揮散部位に亜鉛化合物を存在させることを特徴とする消臭芳香方法。
【請求項１０】
亜鉛化合物が、酸化亜鉛、酸化アルミニウム亜鉛、ケイ酸亜鉛、ケイ酸アルミニウム亜鉛及び層状アルミノケイ酸亜鉛からなる群から選ばれたいずれか１種以上の亜鉛化合物である請求項９記載の消臭芳香方法。
【発明の詳細な説明】
【技術分野】
【０００１】
本発明は、消臭芳香器、それに用いる揮散体およびこの揮散体の製造方法ならびに消臭芳香方法に関し、更に詳細には、消臭芳香器の芳香機能を低下させることなく、優れた消臭効果を奏することのできる消臭芳香器、それに用いる揮散体およびこの揮散体の製造方法ならびに消臭芳香方法に関する。
【背景技術】
【０００２】
従来から、部屋、トイレ、玄関等の生活空間の悪臭を消臭し、周囲に芳香を付与するために消臭芳香器が広く利用されている。このうち芳香器には、芳香剤がゲル状、液状又は固形状等種々の形状のものを使用する芳香器が提案されているが、現在では、芳香剤が液状の芳香器が主に用いられている。
【０００３】
この液状芳香剤の芳香器の一般的な構造は、図４に例示されるように、芳香液を収納した容器Ａａの開口部に、一端部が芳香液に浸漬され、他端部が容器Ａａの開口部から露出している吸上芯ａを挿入し、該吸上芯の前記他端部に揮散体ｅを設置した揮散部材をもちいて内部の芳香液を空気中に揮散させるようにしたものである。
【０００４】
吸上芯ａは、一般にパルプや合成繊維等の繊維を柱状にしたもので、毛細管現象により芳香液を吸上げ揮散体ｅに芳香液を導く。揮散体ｅも、通常、パルプ等の繊維を熱融着性のバインダー等と混合し熱圧着等の方法により板状にしたもので吸上芯ａに導かれた芳香液を、揮散体ｅの表面から揮散させて空間に芳香を付与するようにしたものである。
【０００５】
このような液状の芳香剤を揮散させる芳香器に、さらに脱臭効果を付与する目的で、揮散部材に粒状の活性炭を含ませることが提案されている（特許文献１参照）。しかしながら、このような揮散部材に活性炭を含ませた芳香器では、活性炭が悪臭成分を吸着するだけでなく、芳香液に含まれる香料等の成分をも吸着するため、かえって芳香機能が低下してしまうばかりか、脱臭機能も十分に発揮されないという問題が生じていた。
【０００６】
この問題を解決するために、３−メトキシ−３−メチル−１−ブタノールなどの特定の構造式で示される化合物を芳香液に含有させることによって、香料の活性炭への吸着を抑制する技術が開示されている（特許文献２参照）。また、２,４,６−トリメチル−２−フェニル−１,３−ジオキサンなどの特定の芳香成分を用いた芳香液や、特定構造の界面活性剤を用いた芳香液も提案されている（特許文献３および４参照）。しかしながら、これらの技術では、芳香液の処方の自由度が制限されてしまい、香りの嗜好性を十分に高いものとすることが困難であった。
【０００７】
【特許文献１】特開２００５−３２９号公報
【特許文献２】特開２００５−４０５９３号公報
【特許文献３】特開２００５−４０５９４号公報
【特許文献４】特開２００５−４０５９５号公報
【発明の開示】
【発明が解決しようとする課題】
【０００８】
したがって、芳香液中の香料成分等の吸着量が少なく、優れた消臭機能と芳香機能を兼ね備えた消臭芳香器の開発が求められていた。
【課題を解決するための手段】
【０００９】
本発明者らは、脱臭機能と芳香機能の両効果が十分に発揮される消臭芳香器について鋭意研究を行った結果、特定の消臭剤を担持させた揮散体を用いる事により上記問題点が解決できることを見出し、本発明を完成するに至った。
【００１０】
すなわち、本発明は、容器内に収容された芳香液を、吸上芯で吸上げ、吸上げた芳香液を該吸上芯と接触して設けられた揮散体から該容器外に揮散させる消臭芳香器において、該揮散体に亜鉛化合物を担持させたことを特徴とする消臭芳香器である。
【００１１】
また本発明は、繊維成型品に亜鉛化合物を担持させてなる芳香液用揮散体およびその製造方法である。
【００１２】
さらに本発明は、芳香液の揮散部位に亜鉛化合物を存在させることを特徴とする消臭芳香方法である。
【発明の効果】
【００１３】
本発明の消臭芳香器は、揮散体に活性炭を含有させたものに比べ、揮散体での香料等の成分の吸着が少なく、芳香効果及び消臭効果の低下を抑制することができるため、悪臭の除去と芳香の付与を同時に行うことができ、その効果が長期間持続するものである。
【００１４】
また、本発明の消臭芳香器は、上記のように揮散体での香料等の吸着が少ないため、芳香液の処方が制限されることなく、自由な商品設計が可能である。
【発明を実施するための最良の形態】
【００１５】
本発明の消臭芳香器は、通常の芳香液を用いる芳香器、すなわち、容器内に収容された芳香液を、吸上芯で吸上げ、吸上げた芳香液を該吸上芯と接触して設けられた揮散体から該容器外に揮散させる消臭芳香器において、使用する揮散体として亜鉛化合物を担持させたものを使用する点に特徴を有するものである。
【００１６】
本発明において、揮散体中に担持される亜鉛化合物は、従来より消臭剤として使用されているものを使用できる。亜鉛化合物のうち水に対して不溶性又は難溶性のものが、芳香液への溶解による揮散体からの脱離がなく好ましい。
【００１７】
一方で、揮散体への担持の容易性の点から固体の亜鉛化合物が好ましい。亜鉛化合物としては、具体的には、酸化亜鉛、酸化アルミニウム亜鉛、ケイ酸亜鉛、ケイ酸アルミニウム亜鉛、層状アルミノケイ酸亜鉛、２−エチルヘキサン酸亜鉛、リシノール酸亜鉛等が挙げられる。これらのうち、水に対して不溶性又は難溶性であり且つ固体である酸化亜鉛、酸化アルミニウム亜鉛、ケイ酸亜鉛、ケイ酸アルミニウム亜鉛、層状アルミノケイ酸亜鉛が好ましく用いられる。
【００１８】
上記亜鉛化合物のうち、酸化アルミニウム亜鉛は、ＺｎＯ・Ａｌ２Ｏ３と表される化合物であり、例えば、シーバイオＺ−２４（海水化学研究所社製）として市販されているものを用いることもできる。また、ケイ酸アルミニウム亜鉛はＺｎＯ・Ａｌ２Ｏ３・ＳｉＯ２と表される化合物であり、これも例えば、シーデオＫＺ−４（海水化学研究所社製）として市販されているものを用いることもできる。
【００１９】
また、上記層状アルミノケイ酸亜鉛は、式（Ｚｎ６−ｎＡｌｎ）（Ｓｉ４−ｎＡｌｎ）Ｏ１０（ＯＨ）８・ｎＨ２Ｏと表される層状構造の化合物であり、本発明では、この化合物のみを用いてもよいが、層状アルミノケイ酸亜鉛が単層又は数層の状態で非晶質シリカ粒子などの無機粒子に担持されているもの（例えば、５ＺｎＯ・Ａｌ２Ｏ３・３ＳｉＯ２・５Ｈ２Ｏ／４ＳｉＯ２と表せる）を用いることもできる。このような層状アルミノケイ酸亜鉛の市販品としてミズカナイト（水沢化学工業社製）やライオナイト（ライオン社製）があり、これらを用いることもできる。
【００２０】
一方、揮散体としては、従来公知の揮散体を使用することができるが、例えば２枚の不織布を用い、基体となる不織布上に、エアーレイ法等従来公知のウェブ形成法により繊維と熱融着性バインダーを混合した繊維層を形成し、その上から被覆体となる不織布で覆い、スルーエアドライヤーを通過させる方法等で乾燥し、熱カレンダー装置や熱エンボス装置により接着、成型することができる。揮散体に亜鉛化合物を担持させるに当たっては、従来公知の担持方法により担持させることができるが、好ましくは次に挙げるいずれかの方法により、この揮散体中に亜鉛化合物を担持させれば良い。
【００２１】
すなわち、図１に示すタイプの揮散体の製造方法としては、繊維および熱融着性バインダーに亜鉛化合物を混合し、これを基体となる不織布上（図１の下面）にエアーレイ法等の公知のウェブ形成方法によって積層して繊維層を形成したのち被覆体となる不織布で覆い、以下常法に従って揮散体を成型する方法が挙げられる（製造方法１）。
【００２２】
また図２に示すタイプの揮散体の製造方法としては、繊維および熱融着バインダーを混合後、これを基体となる不織布上にエアーレイ法等の公知のウェブ形成方法によって積層して繊維層を形成し、次いで繊維層上に、亜鉛化合物を必要によりバインダーとともに撒布したのち被覆体となる不織布で覆い、その後常法に従って揮散体を成型する方法が挙げられる（製造方法２）。
【００２３】
さらに、別のタイプの揮散体の製造方法としては、基体となる不織布上に亜鉛化合物を必要により熱融着バインダーとともに撒布し、その上に、繊維および熱融着バインダーの混合物を公知のウェブ形成方法によって積層してウェブを形成したのち被覆体となる不織布で覆い、以下、常法に従って揮散体を成型する方法が挙げられる（製造方法３）。この場合、揮散体は、基体側を表面側として用いることになる。なお、基体及び被覆体は織布、不織布、紙等の通気性素材を使用することができる。
【００２４】
上記各方法において、繊維層に用いられる繊維としては、従来公知のもの、例えば、ポリエチレン、ポリプロピレン、パルプ、レーヨン、セルロース、アセテート、アクリル、ナイロン、ビニロン、ポリエステル、ポリ塩化ビニル、羊毛、綿、シルク等の長繊維又は短繊維の１種若しくは２種以上を混合したものが挙げられる。
【００２５】
また、この繊維層には、上記繊維のほか必要によりポリエチレン、ポリプロピレン、ポリビニルアルコール、ポリエステル、アクリル樹脂、ポリアクリロニトリル、ポリ酢酸ビニル、エポキシ樹脂、ポリウレタン等のバインダーを用いることができ、熱融着性のものが好ましく用いられる。また、バインダーの形状は、粒状や繊維状のものが用いられ、繊維状のバインダーとして、複合成分型熱融着繊維、例えば、ポリエチレン／低融点ポリエチレン芯鞘複合繊維、ポリプロピレン／ポリエチレン芯鞘複合繊維、ポリエステル／ポリエチレン芯鞘複合繊維、ポリエステル／低融点ポリエステル芯鞘複合繊維、ポリプロピレン／ポリビニルアルコール芯鞘複合繊維、ポリエチレン／ポリビニルアルコール芯鞘複合繊維等を用いることもできる。
【００２６】
また、基体あるいは被覆体として用いられる不織布としては、ポリエチレン、ポリプロピレン、パルプ、レーヨン、セルロース、アセテート、アクリル、ナイロン、ビニロン、ポリエステル、ポリ塩化ビニル、羊毛、綿、シルクなどで形成された不織布を用いることができる。
【００２７】
上記の各製造方法のうち、製造方法１（図１）では、亜鉛化合物をより多く担持できるが、亜鉛化合物Ｂが繊維層Ａ中に担持される形となり、揮散体の内部に入り込んだ亜鉛化合物は消臭効果に寄与し難くなる傾向がある。これに対し、製造方法２（図２）および３の方法では、被覆あるいは基体となる不織布Ｃと繊維層Ａの間に亜鉛化合物Ｂが担持される形となり、消臭効率の観点から好ましい。特に、製造方法３では、亜鉛化合物を揮散体の表面のより近傍に担持することができる為さらに好ましい。
【００２８】
本発明の揮散体中での亜鉛化合物の担持量は、適宜選択できるが、０.１ｇ／ｍ２〜１０００ｇ／ｍ２、好ましくは１ｇ／ｍ２〜１００ｇ／ｍ２、さらに好ましくは、1ｇ／ｍ２〜１０ｇ／ｍ２の範囲である。１０００ｇ／ｍ２より多いと、香料成分の揮散が抑制されてしまい、充分な芳香効果が得られない。また、０.１ｇ／ｍ２より少ないと充分な脱臭効果が得られない。
【００２９】
また、亜鉛化合物の平均粒径は０.１μｍ〜１０ｍｍ、好ましくは１μｍ〜１ｍｍ、さらに好ましくは１μｍ〜１００μｍであり、１０ｍｍより大きい場合は、揮散体に保持することが難しく、脱落などが発生するおそれがあり、また、０．１μｍより小さい場合は、上記製造方法２又は３で製造した場合でも、亜鉛を含有する無機消臭剤が揮散体内部に入り込む為、揮散体表面での担持が困難になる。
【００３０】
なお、これまで吸上芯と分離された揮散体について説明して来たが、揮散体と吸上芯が一体のものであっても、揮散体中に亜鉛化合物が担持されていれば本発明の効果を得ることができることは明らかである。この場合には、吸上芯部分に亜鉛化合物が担持されていてもいなくてもよいが、少なくとも揮散体部分の一部または全部に亜鉛化合物が担持されている必要がある。
【００３１】
かくして得られる揮散体は、前記したように通常の芳香液を用いる芳香器において、特段制約なく使用される。すなわち、芳香液用容器や、この容器内に挿通して設けられた吸上芯等は、従来公知のものを広く使用することができ、その形状、構造にも何ら制約はない。
【００３２】
また、本発明に用いられる芳香液も、従来公知の芳香液を用いることができ、その主な構成例としては香料成分を水に界面活性剤を用いて可溶化乃至乳化させたものが挙げられる。
【００３３】
上記香料成分としては、天然香料、人工香料の何れも使用可能であり、調合香料であってもかまわない。また、動物性香料、植物性香料のいずれも用いることができる。動物性香料としては、例えば、麝香、霊猫香、竜延香等の動物性香料、アビエス油、アクジョン油、アルモンド油、アンゲリカルート油、ページル油、ベルガモット油、パーチ油、ボアバローズ油、カヤブチ油、ガナンガ油、カプシカム油、キャラウェー油、カルダモン油、カシア油、セロリー油、シナモン油、シトロネラ油、コニャック油、コリアンダー油、クミン油、樟脳油、ジル油、エストゴラン油、ユーカリ油、フェンネル油、ガーリック油、ジンジャー油、グレープフルーツ油、ホップ油、レモン油、レモングラス油、ナツメグ油、マンダリン油、ハッカ油、オレンジ油、セージ油、スターアニス油、テレピン油、等の植物性香料を挙げることができる。
【００３４】
上記人工香料は、合成香料又は抽出香料であり、例えば、ピネン、リモネン等の炭化水素系香料、リナロール、ゲラニオール、シトロネロール、メントール、ボルネオール、ベンジルアルコール、アニスアルコール、βフェネチルアルコール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、シンナミックアルデヒド等のアルデヒド系香料、カルボン、メントン、樟脳、アセトフェノン、イオノン等のケトン系香料、γ―ブトルラクトン、クマリン、シネオール等のラクトン系香料、オクチルアセテート、ベンジルアセテート、シンナミルアセテート、プロピオン酸ブチル、安息香酸メチル等のエステル系香料等が挙げられる。また、上記香料の２種以上を混合した調合香料も使用することができる。
【００３５】
香料の配合量は組成物中０.０１〜３０質量％、好ましくは０.１〜２０質量％、さらに好ましくは１〜１５質量％である。
【００３６】
界面活性剤としては、従来公知の、アニオン系界面活性剤、カチオン系界面活性剤、ノニオン系界面活性剤または両性界面活性剤の１種若しくは２種以上を混合して用いることができる。
【００３７】
上記アニオン系界面活性剤としては、例えば、石けん（高級脂肪酸石けん）、石けん用素地、金属石けん、アルキルベンゼンスルホン酸ナトリウム、Ｎ−アシル−Ｌ−グルタミン酸トリエタノールアミン、Ｎ−アシル−Ｌ−グルタミン酸ナトリウム、アルキル硫酸ナトリウム、ポリオキシエチレンアルキルエーテル硫酸ナトリウム、ポリオキシエチレンアルキルフェニルエーテル硫酸ナトリウム、ジアルキルスルホ琥珀酸ナトリウム、ポリオキシエチレンアルキルエーテルリン酸、ポリオキシエチレンアルキルフェニルエーテルリン酸、ヤシ油脂肪酸メチルタウリンナトリウム（Ｎ−ココイル−Ｎ−メチルタウリンナトリウム）、ラウリル硫酸トリエタノールアミン、ラウリル硫酸ナトリウム、ラウロイルサルコシンナトリウム、ラウロイルメチルβ−アラニンナトリウム液、ラウロイルメチルタウリンナトリウム等の１種若しくは２種以上を混合して用いることができる。
【００３８】
また、カチオン系界面活性剤としては、エチル硫酸ラノリン脂肪酸アミノプロピルエチルジメチルアンモニウム、塩化アルキルトリメチルアンモニウム、塩化ジアルキルジメチルアンモニウム、塩化ジステアリルジメチルアンモニウム、塩化ステアリルジメチルベンジルアンモニウム、塩化ステアリルトリメチルアンモニウム、塩化ベンザルコニウム、塩化ベンゼトニウム等の１種若しくは２種以上を混合して用いることができる。
【００３９】
上記ノニオン系界面活性剤としては、ポリオキシエチレンアルキルエーテル、ポリオキシエチレンアルキルフェニルエーテル、ポリオキシエチレンスチリルフェニルエーテル、、ポリオキシエチレンアルキルアミノエーテル、ポリエチレングリコール脂肪酸エステル、ポリオキシエチレンポリオキシプロピレングリコール、ソルビタン脂肪酸エステル、ポリオキシエチレンソルビタン脂肪酸エステル、ポリオキシエチレン硬化ひまし油エーテル、脂肪酸アルカノールアミド、第３級アミンオキサイド等の１種若しくは２種以上を混合して用いることができる。
【００４０】
上記ポリオキシエチレンアルキルエーテルはポリオキシエチレン鎖が３から１８好ましくは７から１２であり、アルキル鎖は直鎖または分岐のどちらでも良く、アルキル鎖長は８〜２２好ましくは１２〜１４である。
【００４１】
また、ポリオキシエチレンアルキルフェニルエーテルはポリオキシエチレン鎖が３から１８好ましくは５から１２であり、アルキル鎖は直鎖または分岐のどちらでも良く、アルキル鎖長は８〜２２好ましくは１２〜１４である。
【００４２】
上記脂肪酸アルカノールアミドは、椰子油脂肪酸、ステアリン酸、ラウリン酸、のモノエタノールアミド、ジエタノールアミド等が挙げられ、第３級アミンオキサイドとしては、ラウリルジメチルアミンオキサイド、椰子油脂肪酸ジメチルアミンオキサイド等が挙げられる。
【００４３】
また、上記両性界面活性剤としては、２−アルキル−Ｎ−カルボキシメチル−Ｎ−ヒドロキシエチルイミダゾリニウムベタイン、塩酸アルキルジアミノエチルグリシン液、ラウリルジメチルアミノ酢酸ベタイン等の１種若しくは２種以上を混合して用いることができる。
【００４４】
これらの界面活性剤のうち、可溶化能乃至乳化能の点でアニオン系界面活性剤及び／又はノニオン系界面活性剤を用いることが好ましい。
【００４５】
また、界面活性剤の配合量は、配合される芳香成分の種類、量により適宜選択することができるが、組成物中０.０１〜３０質量％、好ましくは０.１〜２０質量％、さらに好ましくは０．５〜１５質量％である。０.０１質量％より少ないと香料成分を乳化もしくは可溶化できず、液体芳香剤の安定性に影響を与える。
【００４６】
本発明に用いる芳香液中には、さらに消臭剤を配合することができ、より強力な消臭効果を得ることができる。この消臭剤としては、植物抽出物、塩素化合物、アルデヒド化合物、有機酸化合物、サイクロデキストリン、界面活性剤等を挙げることができる。
【００４７】
さらに本発明の芳香液には、本発明の効果に影響を与えない範囲内において、必要に応じて、アルコール、グリコール等の溶媒、可溶化助剤、消臭剤、ゲル化剤、増粘剤、防かび剤、防菌剤、紫外線吸収剤、酸化防止剤、色素等を配合することも可能である。
【実施例】
【００４８】
次に製造例、実施例を挙げて本発明を詳細に説明するが、本発明はこれら製造例、実施例等に何ら限定されるものではない。
【００４９】
製  造  例  １
揮散体の製造方法（１）：
パルプ（平均繊維長１．５ｍｍ）と、バインダーとして粉末状ポリエチレン及び１ｍ２あたり１００ｇの層状アルミノケイ酸亜鉛化合物（ミズカナイトＨＱ−０４８：粒径０．３〜０．８ｍｍ、水沢化学工業社製）を混合したものを、パルプ製不織布の上に撒布し、その上にパルプ製不織布を載せ、オーブンで加熱後熱エンボス装置を通して厚さ１０ｍｍの本発明の揮散体（本発明品１）を製造した。
【００５０】
製  造  例  ２
揮散体の製造方法（２）：
パルプ（平均繊維長１．５ｍｍ）と、バインダーとして粉末状ポリエチレンを混合したものを、パルプ製不織布の上に撒布し、その上に層状アルミノケイ酸亜鉛化合物（ミズカナイトＨＰ：粒径３〜５μｍ、水沢化学工業社製）を１ｍ２あたり１５ｇ撒布した後、パルプ製不織布を載せ、オーブンで加熱後熱エンボス装置を通して厚さ１０ｍｍの本発明の揮散体（本発明品２）を製造した。
【００５１】
製  造  例  ３
揮散体の製造方法（３）：
パルプ（平均繊維長１．５ｍｍ）と、バインダーとして粉末状ポリエチレンを混合したものを、パルプ製不織布の上に撒布し、その上に層状アルミノケイ酸亜鉛化合物（ミズカナイトＨＱ−０４８：粒径０．３〜０．８ｍｍ、水沢化学工業社製）を１ｍ２あたり２０ｇ撒布した後パルプ製不織布を載せ、オーブンで加熱後熱エンボス装置を通して厚さ１０ｍｍの本発明の揮散体（本発明品３）を製造した。
【００５２】
製  造  例  ４
揮散体の製造方法（４）：
層状アルミノケイ酸亜鉛に代えて酸化亜鉛（粒径０．２〜０．６μｍ）を用い、製造例２と同様の方法で本発明の揮散体（本発明品４）を製造した。
【００５３】
製  造  例  ５
揮散体の製造方法（５）：
層状アルミノケイ酸亜鉛に代えて酸化アルミニウム亜鉛（商品名：シーバイオＺ−２４：平均粒径５μｍ：海水化学研究所社製）を用い、製造例２と同様の方法で本発明の揮散体（本発明品５）を製造した。
【００５４】
製  造  例  ６
揮散体の製造方法（６）：
層状アルミノケイ酸亜鉛に代えてケイ酸アルミニウム亜鉛（商品名：シーデオＫＺ−４：粒径１〜５μｍ：海水化学研究所社製）を用い、製造例２と同様の方法で本発明の揮散体（本発明品６）を製造した。
【００５５】
実  施  例  １
消臭試験  ：
本発明品２、４〜６の揮散体を用いて、消臭試験を行った。各製造例で製造した揮散体を５５ｍｍ×５５ｍｍ、厚さ１０ｍｍ（約５.０ｇ）に裁断したものに、表１の処方で作成した芳香液を２５ｇ含浸させた。これを１０リットルのテドラーバッグ内に入れ、悪臭として硫化水素ガスを注入し、悪臭注入１分後の悪臭濃度と、１８０分後の悪臭濃度を測定し、下記式により消臭率を計算した。なお、比較品として、亜鉛を含有する無機消臭剤を担持させていない揮散体（比較品１）、亜鉛を含有する無機消臭剤に代え椰子殻活性炭（平均粒径：５０μｍ、ヨウ素吸着量：１５００ｍｇ／ｇ、メチレンブルー吸着量：３００ｍｌ／ｇ）を担持させた揮散体（比較品２）、亜鉛を含有する無機消臭剤に代え人工ゼオライトを担持させた揮散体（比較品３）を用いた。これらは製造例２と同様にして製造した。結果を表２に示す。
消臭率（％）＝（  Ａ−Ｂ  ）／  Ａ×１００
Ａ：１分後の悪臭濃度（ｐｐｍ）
Ｂ：１８０分後の悪臭濃度（ｐｐｍ）
【００５６】
【表１】
2008136558.tif 000003
【００５７】
【表２】
2008136558.tif 000004
【００５８】
この結果から明らかなように、本発明品はいずれも芳香液の影響を受けることなく硫化水素に対して優れた消臭効果を発揮した。
【００５９】
実  施  例  ２
官能評価試験：
製造例２、４〜６で作成した揮散体を５５ｍｍ×５５ｍｍ、厚さ１０ｍｍ（約５.０ｇ）に裁断し、表１の芳香液４００ｇを、図３の消臭芳香器 ＊ を用いて揮散させた（揮散体の芳香液含浸量：約２５.０ｇ）。揮散初期（１日後）及び揮散終期（６０日後）において、２ｍ３の空間でこれを揮散させ、香りの強度についてパネラー１０名により下記の基準で評価し、その平均値を求めた。比較品１および３についても同様に試験および評価を行った。本試験において、比較品１は芳香成分を吸着する消臭剤を担持しないものであるためこれをコントロールとした。結果を表３に示す。
【００６０】
*  図３は、実施例２で用いた消臭芳香器の一部切欠断面図である。容器１と中栓２、該中栓２に装着された吸上芯３、揮散体３２、芳香揮散孔４８、４９、５７が穿孔された拡散カバー体３０を備えている。該吸上芯３の上端部３ａは、中栓２の上面より突出し、容器１の開口部６より延出しており、開口部６に設けられた保持部材３１上に、吸上芯３の上端部３ａと当接して揮散体３２が設置される。該容器１には芳香液が収容され、吸上芯３の下端部３ｂは該芳香液に浸漬しており芳香液を上方に吸上げる。吸上げられた芳香液は揮散体３２に導かれ、揮散体３２から芳香剤が揮発し、拡散カバー体３０に設けられた芳香揮散孔４８、４９、５７から空気中に揮散する。
【００６１】
（評価基準）
０：無臭
１：やっと感知できるにおい
２：何のにおいであるかがわかる弱いにおい
３：らくに感知できるにおい
４：強いにおい
５：強烈なにおい
【００６２】
【表３】
2008136558.tif 000005
【００６３】
以上の結果より、比較品２、３は揮散終期に消臭剤による吸着の影響により、香り強度が大きく低下したのに対し、本発明品は揮散終期に至っても、比較品１と殆ど差異がなく、消臭剤の影響による香り強度の低下が見られなかった。
【産業上の利用可能性】
【００６４】
本発明の消臭芳香器は、優れた消臭機能と芳香機能とを兼ね備え、その効果が長期間持続するものであるため、極めて有利に利用できるものである。
【図面の簡単な説明】
【００６５】
【図１】繊維層中に亜鉛を含有する無機消臭剤が担持された本発明の揮散体の断面図である。
【図２】繊維層と不織布の間に亜鉛を含有する無機消臭剤が担持された本発明の揮散体の断面図である。
【図３】実施例２で用いた消臭芳香器の一部切欠断面図である。
【図４】従来の芳香器の説明図である。
【符号の説明】
【００６６】
３、ａ    吸上芯
２、ｂ    中栓
３０、ｃ  カバー体
３１、ｄ  支持部材
３２、ｅ  揮散体
４８、４９、５７、ｆ  芳香拡散孔
Ａ  繊維層
Ｂ  亜鉛化合物
Ｃ  不織布
【図１】
2008136558.tif 000006
【図２】
2008136558.tif 000007
【図３】
2008136558.tif 000008
【図４】
2008136558.tif 000009